(57)【要約】　　　（修正有）【課題】枠組足場の最上段に設ける先行手摺に関し、一人の作業者が上方の布枠に先行手摺を支持・固定する事を可能にし、布板に固定する際にも容易に素早く、かつ確実に取り付ける事を可能にする枠組足場の先行手摺を提供する。【解決手段】左右一対の手摺垂直部材１１ａと、手摺垂直部材１１ａの上端をつなぐ手摺水平部材１１ｂからなる手摺枠１１と、手摺枠１１の手摺垂直部材１１ａの下端に設けた一対の固定部材１２からなり、固定部材１２で枠組足場１の布板３に取り付ける先行手摺において、手摺枠１１の中央部から下方に取手部材をその下端が布板３よりも下方に突出するように設けた。【選択図】　　　　図２
2004143738.tif 000002
【特許請求の範囲】
【請求項１】
左右一対の手摺垂直部材と、手摺垂直部材の上端をつなぐ手摺水平部材からなる手摺枠と、手摺枠の手摺垂直部材の下端に設けた一対の固定部材からなり、固定部材で枠組足場の布板に取り付ける先行手摺において、手摺枠の中央部から下方に取手部材を設け、取手部材の下端が布板よりも下方に突出する枠組足場の先行手摺。
【請求項２】
左右一対の手摺垂直部材と、手摺垂直部材の上端をつなぐ手摺水平部材からなる手摺枠と、手摺枠の手摺垂直部材の下端に設けた一対の固定部材からなり、固定部材で枠組足場の布板を挟んで固定する先行手摺において、固定部材のネジ孔を通る締め付け部材を設け、締め付け部材にはその外側端部にハンドルを、内側端部に圧着部材とその間に支持部材を設け、支持部材のハンドル側にネジ部を、支持部材の圧着部材側に円柱部を設け、円柱部の外径はネジ部の谷の径より小径とし、締め付け部材が布板の上部平面部を締め付けるのに必要な所定の長さのネジ部を有し、円柱部により圧着部材が布板に近接するまで自由にスライド可能な枠組足場の先行手摺。
【発明の詳細な説明】
【０００１】
【発明の属する技術分野】
本発明は、建設現場などで使用される枠組足場を組立・分解するときに、作業者の転落事故防止のため、枠組足場の最上段に設ける先行手摺に関する。
【０００２】
【従来の技術】
【特許文献１】特許第３２０５９０６号公報
【０００３】
建設現場などで使用される枠組足場は、門形をした２本の建枠をブレースで連結し、建枠の頂部の間に布板を載置したものをユニットとし、このユニットを建設現場の幅と高さに応じて左右・上下に連結して枠組足場を構成する。
【０００４】
したがって、最上段以外の布板に立って作業するときは建枠を連結しているブレースが安全柵の役目を果たすが、最上段の布板に立って作業するときの転落事故防止のため、先行手摺を設けている。
【０００５】
このような手摺として、特許第３２０５９０６号公報には、下向き開口のコの字形の手摺本体の両端部に布板を挟み押さえて固定する一対の取り付け部材を設けた手摺ユニットとし、布板上部面に平行に脱着自在に取り付けることを可能としたものが示されている。
【０００６】
この手摺は、現在の最上段の枠組足場ユニットを構成した後、次にその上段の布板を建枠の頂部に載置し、手摺本体と取り付け部材からなる手摺ユニットを上段に持ち上げ、取り付け部材で布板に挟み押さえて固定し構成する。そのため建枠や布板自身に加工を施す必要が無い。
【０００７】
布板に固定する取り付け部材には、平行な一対のＬ字形板部材からなる取り付け部本体の長手方向中間部から内側に張り出すように固定された上部挟持部材と、取り付け部本体の長手方向曲部近傍から内側に張り出した下部挟持部材が設けられる。布板の側面が長方形断面の枠部材で構成され、枠部材が両取り付け部本体内側に接するように挿入され、布板の枠部材を上部挟持部材と下部挟持部材で挟み押さえて固定する。
【０００８】
下部挟持部材は、取り付け部本体内側の先端を回動可能に軸部材で固定し、もう一方の先端を取り付け部本体の短手方向端下部に設けたネジ孔を通る下部に手動ハンドル、上部にボルト凸部を有する保持部材に下部から支承されており、保持部材のハンドルを回す事により上部挟持部材と下部挟持部材の挟持間隔を狭める。
【０００９】
下部挟持部材の上部内側が階段形状であるため、側面が異なる寸法の長方形断面の枠部材で構成された布板にも適応することができる。
【００１０】
【発明が解決しようとする課題】
上記の従来技術においては、手摺ユニットを現在の布板から上方の布板に取り付ける際に、手摺本体の両端部に設けられた取り付け部材の間隔が広く、その両方を複数の作業者で支持し、布板に取り付けなければならない。
【００１１】
また一般的に使用される、側面を折り曲げて補強し、薄鋼鈑で構成された布板においては側面の強度が弱く、上記従来の取り付け部材で側面を挟持・固定する事は不可能であり、布板上部平面部を挟持・固定する必要性があった。
【００１２】
しかし、布板の上部平面部を上部挟持部材と下部挟持部材とで挟持するには、取り付け部材を布板に脱着する際に布板側面を避ける必要性から下部挟持部材を上下に大きく移動する必要があり、下部挟持部材を下部から支承する支持部材のハンドルを数多く回さなければならない煩わしさがある。
【００１３】
そこで本発明では、一人の作業者が手摺ユニットを支持し上方の布板に取り付ける事を可能にし、布板の上部平面部に固定する際にも容易に素早く、かつ確実に取り付ける事を可能にする枠組足場の先行手摺を提供する事を目的とする。
【００１４】
【課題を解決するための手段】
請求項１の発明の枠組足場の先行手摺は、左右一対の手摺垂直部材１１ａと、手摺垂直部材１１ａの上端をつなぐ手摺水平部材１１ｂからなる手摺枠１１と、手摺枠１１の手摺垂直部材１１ａの下端に設けた一対の固定部材１２からなり、固定部材１２で枠組足場１の布板３に取り付ける先行手摺１０において、手摺枠１１の中央部から下方に取手部材１１ｅをその下端が布板３よりも下方に突出するものである。
【００１５】
請求項２の発明の枠組足場の先行手摺は、左右一対の手摺垂直部材１１ａと、手摺垂直部材１１ａの上端をつなぐ手摺水平部材１１ｂからなる手摺枠１１と、手摺枠１１の手摺垂直部材１１ａの下端に設けた一対の固定部材１２からなり、固定部材１２で枠組足場１の布板３を挟んで固定する先行手摺１０において、固定部材１２のネジ孔１２ｄを通る締め付け部材１３を設け、締め付け部材１３にはその外側端部にハンドル１４を、内側端部に圧着部材１６とその間に支持部材１５を設け、支持部材１５のハンドル側にネジ部１５ｂを、支持部材１５の圧着部材１６側に円柱部１５ａを設け、円柱部１５ａの外径はネジ部１５ｂの谷の径より小径とし、締め付け部材１３が布板３の上部平面部３ａを締め付けるのに必要な所定の長さのネジ部１５ｂを有し、円柱部１５ａにより圧着部材１６が布板３に近接するまで自由にスライド可能なものである。
【００１６】
【発明の実施の形態】
請求項１の発明では、一対の固定部材１２で枠組足場１の布板３に取り付ける先行手摺１０において、手摺枠１１の中央部から下方に取手部材１１ｅをその下端が布板３よりも下方に突出するように設けたから、一人の作業者が取手部材１１ｅを容易に支持し、固定部材１２で先行手摺１０を上段の布板３に取り付ける事ができる。
【００１７】
請求項２の発明では、支持部材１５のハンドル側にネジ部１５ｂを、支持部材１５の圧着部材１６側に円柱部１５ａを設け、円柱部１５ａの外径はネジ部１５ｂの谷の径より小径とし、円柱部１５ａにより圧着部材１６が布板３に近接するまで自由にスライド可能としたから、締め付け部材１３が円柱部１５ａの長さの範囲においてネジ孔１２ｄを上下にスライドでき、圧着部材１６が布板３の側面３ｂを避けて上部平面部３ａを締め付けたり緩める作業が素早くできる。
【００１８】
また、締め付け部材１３にはその外側端部にハンドル１４を、内側端部に圧着部材１６とその間に支持部材１５を設け、締め付け部材１３が布板３の上部平面部３ａを締め付けるのに必要な所定の長さのネジ部１５ｂを有するから、締め付け部材１３の先端に設けた圧着部材１６で布板３の上部平面部３ａを挟み押さえて固定し、布板３の側面３ｂの形状に左右されない確実な取り付けが可能となる。
【００１９】
【実施例】
以下、本発明の一実施例を図面を参照して説明する。
【００２０】
図１に示すのは枠組足場１に組み立てた先行手摺１０であり、枠組足場１は複数の門形をした建枠２が平行に立設され、その建枠２をブレース４で連結し、その建枠２の頂部の間に布板３を載置して作業者の足場としたものである。布板３は薄鋼板で構成され、作業者が載るための水平な上部平面部３ａと、上部平面部３ａの両端を下方に折り曲げて補強した側面３ｂとからなる。
【００２１】
先行手摺１０は、手摺枠１１と、手摺枠１１の手摺垂直部材１１ａの下端に設けた一対の固定部材１２からなる。固定部材１２は布板３の上部平面部３ａに平行に脱着される。
【００２２】
手摺枠１１はアルミ丸管であり、左右一対の手摺垂直部材１１ａと、手摺垂直部材１１ａの上端をつなぐ手摺水平部材１１ｂを設け、手摺垂直部材１１ａは固定部材１２の上方に位置するから、先行手摺１０を取り付けたとき、手摺垂直部材１１ａや手摺水平部材１１ｂは布板３の側端部上方に位置する。
【００２３】
手摺垂直部材１１ａの中間に手摺水平部材１１ｂと平行に支持部材１１ｃ，１１ｄを設け、支持部材１１ｄの中央部から下方にコの字形の取手部材１１ｅを底部を下方にして設ける。
【００２４】
先行手摺１０を布板３に取り付けたとき、取手部材１１ｅの下端が布板３よりも下方に突出するよう、固定部材１２よりも下方まで取手部材１１ｅを設ける。布板３よりも下方に突出する取手部材１１ｅが布板３と干渉しないように、その側面視で「へ」の字形に折り曲げ、下方が布板３の外方に位置し、かつ垂直となるよう支持部材１１ｄに取り付ける。実施例では、取手部材１１ｅが布板３よりも約２５ｃｍ下方に突出し、下方の布板から取手部材１１ｅまでの高さを約１５０ｃｍとした。
【００２５】
固定部材１２は、上下一対の固定水平部材としての上固定水平部材１２ａと下固定水平部材１２ｃと、上固定水平部材１２ａと下固定水平部材１２ｃの布板側面３ｂ側の端面をつなぐ固定垂直部材１２ｂと、下固定水平部材１２ｃに設けたネジ孔１２ｄを通る締め付け部材１３からなる。
【００２６】
上固定水平部材１２ａと下固定水平部材１２ｃ、固定垂直部材１２ｂはコの字形状の断面を有する鋼板で、それぞれのコの字形状断面の開口を外側にし、断面底部の水平方向の端部同士が接するよう側面視でコの字形に構成し、布板側面３ｂと固定垂直部材１２ｂの底部が接するように布板３の上部平面部３ａの両長手方向端部を挿入する。
【００２７】
手摺垂直部材１１ａの下端側面に貫通孔を設け、上固定水平部材１２ａのコの字形状断面の底部上面に手摺垂直部材１１ａの内径よりも小径で、同様の貫通孔を有する円形鋼管の支持部材１２ｅを垂直に溶着し、手摺垂直部材１１ａの下端に支持部材１２ｅを挿入し、それらの貫通孔にボルト・ナット等の軸部材を挿入して固定する。
【００２８】
下固定水平部材１２ｃの下面には、ネジ孔１２ｄを有するナットを溶着し、そのネジ孔１２ｄを通り、締め付け部材１３を設ける。
【００２９】
締め付け部材１３の外側端部としての下端部に丸棒鋼のハンドル１４を固定して取り付け、内側の端部としての上端部に圧着部材１６を設け、その間に支持部材１５を設ける。
【００３０】
圧着部材１６は中心に孔を設けた下方に凸の円形皿状に成形した鋼板で、支持部材１５の上端が孔に挿入され、水平方向に回動可能に固定される。
【００３１】
支持部材１５は丸棒鋼とし、下方のハンドル１４側には下固定水平部材１２ｃに設けたネジ孔１２ｄに適応して噛み合うするネジ部１５ｂを設け、支持部材１５の圧着部材１６側に外径をネジ部１５ｂの谷の径より小径とした円柱部１５ａを設け、下固定水平部材１２ｃに設けたネジ孔１２ｄを円柱部１５ａはスライドする。
【００３２】
実施例では、下固定水平部材１２ｃに設けたネジ孔１２ｄと支持部材１５の下方の設けたネジ部１５ｂをメートル並目ネジＭ１４とし、支持部材１５の圧着部材１６側の円柱部１５ａの直径を１１ｍｍとした。従って、メートル並目ネジＭ１４のおねじの谷の径およびめねじの内径は約１１．８ｍｍであり、支持部材１５の円柱部１５ａの直径は１１ｍｍであるから、締め付け部材１３は円柱部１５ａの長さの範囲で、下固定水平部材１２ｃに設けたネジ孔１２ｄを上下にスライドできる。
【００３３】
このとき、圧着部材１６が布板３の側面３ｂを避けて固定部材１２が布板３に脱着可能なように支持部材１５の円柱部１５ａはそのスライドの下限において、先端の圧着部材１６が布板３よりも下方に位置するようにし、スライドの上限において圧着部材１６は布板３の上部平面部３ａに近接するようにする。
【００３４】
また、支持部材１５のネジ部１５ｂは下固定水平部材１２ｃに設けたネジ孔１２ｄに噛み合わせる事で圧着部材１６が布板３の上部平面部３ａの下面に十分に圧着されるようなネジ長さで、かつ布板３に固定部材１２を脱着する際に締め付け部材１３を数多く回す煩わしさが無いように、できる限り短い長さとする。
【００３５】
以上のように先行手摺１０を布板３に取り付けるには、作業者が手摺枠１１の中央部に設けた取手部材１１ｅのコの字形底部を支持し、上方の布板３の側面３ｂに固定部材１２を挿入する。
【００３６】
そして、固定部材１２の下部の締め付け部材１３を下から持ち上げ、支持部材１５のネジ部１５ｂを下固定水平部材１２ｃのネジ孔１２ｄに噛み合わせ、ハンドル１４を回す事により、圧着部材１６は布板上部平面３ａとの間隔を狭め、上固定水平部材１２ａと圧着部材１６とで布板３の上部平面部３ａを挟み押さえて固定する。
【００３７】
次に枠組足場１の組み立て、および先行手摺１０の取り付け、移動方法について説明する。
【００３８】
枠組足場１の組み立てにおいて、１段目は必要とする幅に相当する数の建枠２を順次立設し、ブレース４で建枠２を連結し、布板３を建枠２の頂部の間に載置する。
【００３９】
手摺枠１１に設けられた取手部材１１ｅを支持して、枠組足場１の内側から先行手摺１０を布板３とブレース４との上方の隙間から持ち上げ、固定部材１２を布板３に取り付け、先行手摺１０を固定する。
【００４０】
次に図７および図８に示すように、２段目の枠組足場１も同様に組み立てる。手摺枠１１は布板３の側面よりも枠組足場内側に位置するので、ブレース４の連結も可能である。
【００４１】
３段目の布板３に先行手摺１０を設けるには、１段目の作業者が２段目の布板３に設けられた先行手摺１０の締め付け部材１３を緩め、２段目の作業者が１段目と同様に３段目の布板へと先行手摺１０を持ち上げ、固定する。
【００４２】
上記のような同様の手順を繰り返し、上方に枠組足場１を形成していく。また、枠組足場１の分解を行うには、上記を逆の手順で繰り返せばよい。
【００４３】
以上の実施例では、手摺枠１１の中央部の支持部材１１ｄから下方にコの字形の取手部材１１ｅを底部を下方にして設けた例を示したが、先行手摺１０を布板３に取り付けたときに布板３よりも下方に突出し、作業者が先行手摺１０を支持できるものであれば良く、レバーのような丸棒形部材を手摺枠１１の中央部に手摺水平部材１１ｂから垂直に設けても良い。
【００４４】
また、固定部材１２において、上方の上固定水平部材１２ａと下方からの締め付け部材１３の先端に設けた圧着部材１６とで布板３の上部平面部３ａを挟み押さえる例を示したが、上下を逆の構成に、下方に固定部材を設け、上方にその挟持間隔を狭める部材を設けても良い。
【００４５】
【発明の効果】
請求項１の発明によれば、一対の固定部材で枠組足場の布板に取り付ける先行手摺において、手摺枠の中央部から下方に取手部材をその下端が布板よりも下方に突出するように設け、一人の作業者が容易に先行手摺を支持し、固定部材で先行手摺を上段の布板に脱着できるから、作業者の人数を軽減できる。
【００４６】
請求項２の発明によれば、支持部材のハンドル側にネジ部を、支持部材の圧着部材側に円柱部を設け、円柱部の外径はネジ部の谷の径よりも小径とし、円柱部により圧着部材が布板に近接するまで自由にスライド可能とし、締め付け部材が円柱部の長さの範囲においてネジ孔を上下にスライドでき、圧着部材が布板の側面を避けて上部平面部の締め付けたり緩める作業が素早くできるから、先行手摺の脱着が容易で、作業時間が短縮できる。
【００４７】
また、締め付け部材にはその外側端部にハンドルを、内側端部に圧着部材とその間に支持部材を設け、締め付け部材が布板の上部平面部を締め付けるのに必要な所定の長さのネジ部を有し、締め付け部材の先端に設けた圧着部材で布板の上部平面部を挟み押さえて固定することで、布板の側面の形状に左右されない確実な先行手摺の取り付けが可能となるから、安全に作業できる。
【図面の簡単な説明】
【図１】枠組足場の先行手摺の一実施例を示す正面図である。
【図２】図１の部分拡大図である。
【図３】図２の側面図である。
【図４】固定部材の正面図である。
【図５】固定部材の側面図である。
【図６】図５の締め付け部材を下にスライドさせた図である。
【図７】図１の枠組足場を１段組み立てた図である。
【図８】図７の側面図である。
【図９】図７の先行手摺を上の段に取り付けた図である。
【図１０】図８の先行手摺を上の段に取り付けた図である。
【符号の説明】
１　枠組足場
３　布板
３ａ　上部平面部
１０　先行手摺
１１　手摺枠
１１ａ　手摺垂直部材
１１ｂ　手摺水平部材
１１ｅ　取手部材
１２　固定部材
１３　締め付け部材
１４　ハンドル
１５　支持部材
１５ａ　円柱部
１５ｂ　ネジ部
１６　圧着部材
【図１】
2004143738.tif 000003
【図２】
2004143738.tif 000004
【図３】
2004143738.tif 000005
【図４】
2004143738.tif 000006
【図５】
2004143738.tif 000007
【図６】
2004143738.tif 000008
【図７】
2004143738.tif 000009
【図８】
2004143738.tif 000010
【図９】
2004143738.tif 000011
【図１０】
2004143738.tif 000012